(57)【特許請求の範囲】
【請求項１】
デジタル放送番組の放送データを受信し、受信した放送データからユーザの指示に応じて曲データ及びその曲の内容、構成を示す識別情報を含む曲ファイルが多重された音楽番組を選択して再生し、記録待機モードの指定時に前記音楽番組の曲データを記録指示に応じて記録するデジタル放送番組記録再生装置であって、
前記番組の曲ファイルを一時的に記録するためのテンポラリ領域と恒久的に記録するための保存領域とを有する記録媒体と、
前記記録待機モードの指定時に、前記音楽番組の曲データを再生しながら当該曲データを含む曲ファイルを前記記録媒体のテンポラリ領域に一時的に記録しておく記録待機処理手段と、
前記記録待機モード中に前記記録指示があったとき、前記記録媒体のテンポラリ領域に記録された曲ファイル全体を保存ファイルとして前記保存領域に移す記録処理手段とを具備することを特徴とするデジタル放送番組記録再生装置。
【請求項２】
前記記録待機処理手段は、前記識別情報を基に前記音楽番組の曲ファイル先頭を認識し、前記テンポラリ領域にその先頭から記録するようにしたことを特徴とする請求項１記載のデジタル放送番組記録再生装置。
【請求項３】
さらに、前記放送データの受信中に前記音楽番組の曲ファイルにエラーが生じたことを検出してそのファイルのエラー情報を前記曲ファイルに付加して記録するエラー処理手段と、
前記記録媒体からエラー情報が付加されている曲ファイルの識別情報を読み出し、この識別情報が前記放送データから検出されたとき、その識別情報に対応する曲ファイルを前記放送データから抽出して前記テンポラリ領域に保存し、少なくとも既に保存領域に記録されている曲ファイルのエラー部分または全部を新たにテンポラリ領域に保存された曲ファイルに書き換える書換処理手段とを備えることを特徴とする請求項２記載のデジタル放送番組記録再生装置。
【請求項４】
前記書換処理手段は、前記放送データ中の識別情報を検索し、記録済みデータの中で前記エラー情報から記録し直す必要がある曲データを自動的に検索し、再度同じ曲データが放送された時に自動的に記録し直すことを特徴とする請求項３記載のデジタル放送番組記録再生装置。
【請求項５】
前記識別情報は無音データであることを特徴とする請求項２乃至４のいずれか記載のデジタル放送番組記録再生装置。
【請求項６】
さらに、前記保存領域に記録された曲ファイルを再生または編集する際、その曲ファイルに付加された識別情報の内容を表示する識別情報表示手段を備えることを特徴とする請求項１記載のデジタル放送番組記録再生装置。
【発明の詳細な説明】
【０００１】
【発明の属する技術分野】
本発明は、情報記録装置に関し、特にデジタル放送において、特にモバイル環境下で音楽番組等を記録再生するのに好適なデジタル放送番組記録再生装置に関する。
【０００２】
【従来の技術】
モバイル向けの衛星放送においては、自動車を運転中に操作する可能性が高いため、選局、録音等の操作は簡単であることが重要である。
従来の据え置き型の放送番組記録再生装置では、予め放送内容がわかっている場合は、タイマー録音機能、録画予約機能等で録音（または録画）する方法がある。しかし、これらの機能は開始時刻、終了時刻、受信チャンネル等の設定が必要であり、操作は簡便とは言えず、自動車を運転中に操作するには不適当である。
【０００３】
また、従来の装置では、直接録音（または録画）を行うこともできるが、操作を行った時点以降を録音（または録画）するようになっているため、番組の内容を視聴した後に録音（または録画）したいという要望があっても、録音（または録画）したい内容を全て記録することができない。
【０００４】
一方、モバイル環境では受信データに誤りが発生することを考慮することが重要であるが、録音（または録画）動作中にエラーが発生した場合、後で何度も再生するには不適当なデータとなってしまうという不具合がある。従来の装置では、このような場合ユーザーは改めて録音（または録画）をやり直す必要があった。
【０００５】
【発明が解決しようとする課題】
本発明は、上記の問題を解決し、ユーザーが簡単な操作で記録することができるデジタル放送番組記録再生装置を提供することを第１の目的とし、記録内容の識別が容易なデジタル放送番組記録再生装置を提供することを第２の目的とし、受信データにエラーが発生した場合でも自動的にデータを修復することのできるデジタル放送番組記録再生装置を提供することを第３の目的とする。
【０００６】
【課題を解決するための手段】
本発明に係るデジタル放送番組記録再生装置は、以下のような特徴的構成を有する。
（１）デジタル放送番組の放送データを受信し、受信した放送データ中の任意のオブジェクトファイルを記録再生するデジタル放送番組記録再生装置であって、前記放送データを一時的に記録するテンポラリ領域と恒久的に記録する保存領域とを有する記録媒体と、記録待機モードの指定に応じて前記放送データ中のオブジェクトファイルを前記記録媒体のテンポラリ領域に一時的に記録しておく記録待機処理手段と、前記記録待機モード中に記録指示があったとき、前記記録媒体のテンポラリ領域に記録されたオブジェクトファイル全体を保存ファイルとして前記保存領域に移す記録処理手段とを具備することを特徴とする。
【０００７】
（２）（１）の構成において、放送データに番組の内容、構成を示す識別情報を設けられているとき、前記記録待機処理手段は、前記識別情報を基に受信中の番組のオブジェクトファイル先頭を認識し、前記テンポラリ領域にその先頭から記録するようにしたことを特徴とする。
【０００８】
（３）（１）の構成において、前記放送データに番組の内容、構成を示す識別情報が設けられているとき、前記記録処理手段は、記録指示に応じてオブジェクトファイルと合わせてこの識別情報を記録するようにしたことを特徴とする。
【０００９】
（４）（３）の構成において、さらに、前記放送データ中のオブジェクトファイルにエラーが生じたことを検出してそのファイルのエラー情報をオブジェクトファイルに付加して記録するエラー処理手段と、前記記録媒体からエラー情報が付加されているオブジェクトファイルの識別情報を読み出し、この識別情報が前記放送データから検出されたとき、その識別情報に対応するオブジェクトファイルを前記放送データから抽出して前記テンポラリ領域に保存し、少なくとも既に保存領域に記録されているオブジェクトファイルのエラー部分または全部を新たにテンポラリ領域に保存されたオブジェクトファイルに書き換える書換処理手段とを備えることを特徴とする。
【００１０】
（５）（４）の構成において、前記書換処理手段は、前記放送データ中の識別情報を検索し、記録済みデータの中で前記エラー情報から記録し直す必要がある番組を自動的に検索し、再度同じ番組が放送された時に自動的に記録し直すことを特徴とする。
【００１１】
（６）（２）〜（５）の構成において、前記識別情報は無音データであることを特徴とする。
（７）（１）の構成において、さらに、前記保存領域に記録されたオブジェクトファイルを再生または編集する際、そのオブジェクトファイルに付加された識別情報の内容を表示する識別情報表示手段を備えることを特徴とする。
すなわち、上記の第１の目的を達成するために、本発明に係るデジタル放送番組記録再生装置は、放送するデータと合わせて曲（番組）の識別情報を送信するようにして、この識別情報を使って、曲（番組）の途中でその曲（番組）の先頭から録音できる機能を提供するものである。また、受信したデータにエラーが発生し録音（または録画）状態が悪化することがあるが、これを自動的に修復する機能を提供するものである。
【００１２】
本発明では、放送するデータと合わせて曲（番組）の識別情報を送信するようにし、音楽放送等を録音（または録画）する機能において、録音（または録画）するためのメディアの一部もしくは別に一時的にデータを記録する領域もしくは手段を具備し、録音待機の状態において当該領域に現在受信中（演奏中）の内容を保存するようにし、ユーザーが録音（または録画）の操作を行ったときにこのデータを録音（または録画）データとして記憶するようにして実現される。
【００１３】
識別情報には番組の曲名、アーチスト名、演奏時間等を入れる。
上記の識別情報を基に演奏中の番組の先頭を認識し、ユーザーが録音の操作を行った時にこの先頭から録音（または録画）データとして記憶する。
【００１４】
録音（または録画）データには、上記の識別情報、録音（または録画）状態を示す情報も合わせて記録するようにし、録音（または録画）状態が適当でないときは、同一の番組が再度放送された際に自動的にデータを更新するようにする。
【００１５】
また、本発明は、第１の応用例として、デジタル放送番組の放送データを受信し、受信した放送データ中の任意のオブジェクトファイルを記録再生するデジタル放送番組記録再生装置であって、前記放送データを記録する記録媒体と、前記放送データに番組の内容、構成を示す識別情報が設けられているとき、記録指示に応じてオブジェクトファイルと合わせてこの識別情報を記録する記録処理手段とを具備することを特徴とするデジタル放送番組記録再生装置を提供する。
また、第２の応用例として、テンポラリ領域と保存領域とを有するメモリ装置と、記録待機時には、一定時間分の通信情報を順次書き換えながら前記テンポラリ領域に記録するテンポラリ領域記録手段と、記録指示に応じて前記テンポラリ領域に保存された通信情報を前記保存領域に移し、継続して得られる通信情報を続けて前記保存領域に記録する保存領域記録手段とを具備することを特徴とする情報記録装置を提供する。
【００１６】
【発明の実施の形態】
以下、図面を参照して本発明の実施の形態を詳細に説明する。
図１は本発明に係るデジタル放送番組記録再生装置の構成を示すブロック図である。図１において、チューナ１１は複数チャンネルの中から任意のチャンネルを選局し、復調部１２はそのチャンネルの番組情報信号を復調する。ここで抽出された番組情報信号は多重分離部１３に送られる。この多重分離部１３は、番組情報信号にパケット多重されている映像データと音声データ（オブジェクトファイル）、ならびに識別情報データ（曲やシーンの識別と共に、映像データと音声データの再生タイミングの識別を行うための情報）を分離するもので、映像データは映像デコーダ１４でデコードされてディスプレイ１５に表示され、音声データは音声デコーダ１６でデコードされてスピーカ１７により音響再生され、識別情報データは制御部１８に送られる。また、これらのデータは記憶部１９にも送られる。
【００１７】
上記制御部１８は、操作部２０からの記録モード信号に応じて上記記憶部１９に対して記憶制御信号を送る。記憶部１９は、テンポラリファイル保存領域と正規ファイル保存領域を備え、制御部１８からの記憶制御信号に基づいて多重分離部１３からの映像データ、音声データ、識別情報データの書き込み、読み出しを行う。この記憶部１９から読み出された映像データ及び音声データは、それぞれ映像デコーダ１４、音声デコーダ１６に送られ、適宜再生処理される。
【００１８】
ここで、上記構成の主要部について詳述する。まず、復調部１２から多重分離部１３へは、図２に示すように、データとＥＮＡＢＬＥ信号によってインターフェースされる。ＥＮＡＢＬＥ信号が“Ｈ”レベルのときデータが有効であり、これが一つのパケットの単位となる。それぞれのパケットには、そのパケットの内容を示すヘッダが付されており、多重分離部１３はこのヘッダを解釈して映像データ、音声データ、識別情報データ等の識別を行い、その識別結果に基づいてそれぞれのデータの振り分けを行う。
【００１９】
また、映像デコーダ１４、音声デコーダ１６には、多重分離部１３からの入力系と記憶部１９からの入力系が設けられているが、受信データのリアルタイム再生時には多重分離部１３からのデータを用い、録音または録画したデータを再生する場合には、記憶部１９からのデータを用いる。
【００２０】
また、記憶部１９の記憶データフォーマットは、例えば１つの番組または曲を、管理ファイル、映像データファイル、音声データファイルの３つのファイルとして扱う。図３にその一例を示す。
【００２１】
管理ファイルは、図３（ａ）に示すように、識別情報データを格納するフィールドと共にデータの良否を示す情報を格納するフィールドを有する。映像データファイルは、図３（ｂ）に示すように、映像データをパケット単位で順に取り込みファイル化したものである。また、音声データファイルは、図３（ｃ）に示すように、音声データをパケット単位で順に取り込みファイル化したものである。
【００２２】
ここで、上記データ良否情報フィールドでは、映像データファイルと音声データファイルのそれぞれのパケットに１ビットのフラグを対応させ、録音または録画時にデコーダ１４、１６でエラーを検出したパケットのフラグに１を書き込むようにする。一例として、図４に３番目のパケットと７番目のパケットにエラーがあった場合を示す。
【００２３】
上記構成において、本実施形態で想定するディジタル放送ではデータをパケット単位で送信するものとし、番組の内容を示す識別情報データとして、曲間に識別情報用パケットが挿入されているものとする。以下、1 つの情報チャンネルに１番組が放送されており、任意の曲を録音する場合について、図５を参照して、制御部１８による一連の動作の流れを説明する。
【００２４】
放送データは複数のパケットに分割され順次送り出される。放送データの曲等の区切り毎に識別情報用パケットを挿入するようにする。識別情報用パケットには、曲名、アーチスト名、演奏時間等のデータが入っている。
【００２５】
いま、操作部２０を通じてユーザーの操作により録音待機モードの指示がなされ、ある識別情報用パケットを受信し、これを検出した場合（Ｓ１）、このパケット以降が1 つの曲を構成するデータであることが認識される。このとき、受信データを再生させながら、この識別情報以下のデータを記憶部１９のテンポラリーファイル保存領域に保存する（Ｓ２）。
【００２６】
この曲の再生中に、操作部２０を通じてユーザーの操作により録音の指示がなされた場合（Ｓ３）、これまでテンポラリーファイル保存領域に保存されているデータを正規の録音データとして扱い直して正規の録音データを保存する正規ファイル保存領域に移し（Ｓ４）、これ以降のデータは引き続き正規の録音データとして同領域に保存し（Ｓ５）、次の識別情報用パケットを検出した時点でその録音を終了する（Ｓ６、Ｓ７）。
【００２７】
この時点で動作停止の指示があれば録音待機モードを終了し、動作停止の指示がなければステップＳ２に戻って先に検出した識別情報以下のデータを記憶部１８のテンポラリーファイル保存領域に保存し、以後、同様の処理を行う。
【００２８】
次に、ステップＳ２でテンポラリーファイルの保存を開始しても、ステップＳ３で録音の指示がなく、ステップＳ９で識別情報が検出された場合には、その曲は録音しないものとして、テンポラリーファイル内のデータを消去してステップＳ２に戻り、次の曲のデータをテンポラリーファイル保存領域に保存し、以後、同様の動作を繰り返す。また、ステップＳ９で識別情報が検出されなかった場合には、動作停止指示の有無を判断し（Ｓ１０）、動作指示がなかった場合にはステップＳ２に戻り、動作停止指示があった場合には、録音待機モードを終了する。
【００２９】
ここで、正規の録音データとして保存するデータに、録音状態を示す情報を付加する領域を設けておき、再生中にデコードエラーを検出した場合には、それを示す情報をセットするようにする。デコードエラー有りの録音データがある場合には、そのデータの識別情報に該当する曲（番組）を録音予約状態にしておき、再び同じ曲（番組）が受信されたときそのデータのエラーがあった部分を自動的に更新するようにする。この更新処理動作を図６に示す。
【００３０】
ユーザーの指示により録音予約モードに設定されると、まず、エラーパケットの有無を判断し（Ｓ１１）、識別情報パケットの一致を判断し（Ｓ１２）、正常に受信されたか否かを判断し（Ｓ１３）、正常に受信された場合には、エラーパケットを書き換える（Ｓ１４）。以上の処理により、エラーのあったパケットだけを受信して記録し直すことができる。
【００３１】
以上説明したように、本実施形態の構成によれば、ユーザーは簡単な操作で録音ができる。また、受信データにエラーが発生した時に自動的にデータを修復することができる。さらに、録音されたデータには識別情報も付加されて記録されているので、後で再生するときや、編集を行う際に曲名やアーチスト名等を表示するのにも用いることができ便利である。
【００３２】
尚、上記実施形態では録音の場合について説明したが、録画の場合でも同様に実施可能である。
また、上記実施形態では、曲や番組間に識別情報データを挿入するようにしたが、このデータの代わりに無音期間を設け、これを検出するようにしてもよい。
【００３３】
また、本発明の録音の仕方は、録音機能付きの電話機（携帯電話機）等の情報記録装置にも応用できる。すなわち、録音待機モードで通信が開始されたとき、一定期間はその通信内容をテンポラリーファイルとして保存しておき、その期間内の通信の途中で記録開始操作がなされたときは、テンポラリーファイルのデータを含めて記録する。これにより、通信の途中で記録開始操作がなされた場合でも、その通信の最初からのデータを保存できるようになる。
【００３４】
【発明の効果】
以上のように本発明によれば、ユーザーが簡単な操作で記録することができ、記録内容の識別が容易で、受信データにエラーが発生した場合でも自動的にデータを修復することのできるデジタル放送番組記録再生装置を提供することができる。
【図面の簡単な説明】
【図１】  本発明の実施形態とするデジタル放送番組記録再生装置の構成を示すブロック図。
【図２】  同実施形態の復調部から多重分離部へのインターフェースの内容を示す図。
【図３】  同実施形態の記録部における記録データのフォーマットを示す図。
【図４】  図３の管理ファイルにおけるデータ良否情報フィールドの構成を示す図。
【図５】  同実施形態の記録待機モードの処理内容を示すフローチャート。
【図６】  同実施形態で、記録中にエラーが生じた場合にエラーパケットを書き換える処理動作を示すフローチャート。
【符号の説明】
１１…チューナ
１２…復調部
１３…多重分離部
１４…映像デコーダ
１５…ディスプレイ
１６…音声デコーダ
１７…スピーカ
１８…制御部
１９…記憶部
２０…操作部
【図１】
0004005716.tif 000002
【図２】
0004005716.tif 000003
【図３】
0004005716.tif 000004
【図４】
0004005716.tif 000005
【図５】
0004005716.tif 000006
【図６】
0004005716.tif 000007